(57)【要約】【課題】映像と表示装置のアスペクト比が異なる場合には、元映像にたいして左右もしくは上下に灰色等の枠の縁辺部を挿入してアスペクト比を変換して表示を行うが、その際に元映像の下端や右端にビデオヘッドの切り替え信号等によるノイズが記録されていた場合に、表示装置に再生されてしまう。【解決手段】アスペクト変更を行った映像に対して、元映像の下端もしくは右端の領域に対して、アスペクト比変換のために挿入した灰色等の枠の縁辺部と同じ映像情報で置き換えることにより表示装置へのビデオヘッドの切り替え信号等によるノイズ情報の再生をなくすことにより映像品質・視認性を向上させる。【選択図】図１
2006080591.tif 000002
【特許請求の範囲】
【請求項１】
映像を含むストリーム情報のデータ形式を変換する装置であって、映像を含むストリーム情報を読み出すデータ読み取り手段と、前記データ読み取り手段で読み出されたデータのアスペクト比を判定するアスペクト比判定手段と、映像を含むストリーム情報の表示を行うデータ表示手段と、前記データ表示手段で表示可能なアスペクト比（領域サイズ）を判断して前記データ読み取り手段で読み出された映像を含むストリーム情報に対して元の映像情報の左右や上下に灰色等の枠の縁辺部を挿入してアスペクト比変換を行うデータ作成手段と、前記データ作成手段で作成された表示用の映像データに対して元映像の下端や右端の映像を灰色等の枠の縁辺部の映像に変換してノイズ等の除去を行うデータ変換手段を備えたことを特徴とする情報変換装置。
【請求項２】
前記データ変換手段が前記データ作成手段で作成されたデータを保存するデータ保存手段と前記データ作成手段により挿入された縁辺部の映像情報に応じて元映像を置き換えるデータを作成する置換データ作成手段と、前記データ保存手段に保存されている映像データと前記置換データ作成手段で作成された映像データを合成するデータ合成手段とを備えたことを特徴とする請求項１記載の情報変換装置。
【請求項３】
映像を含むストリーム情報のデータ形式を変換する装置であって、映像を含むストリーム情報を読み出すデータ読み取り手段と、前記データ読み取り手段で読み出されたデータのアスペクト比を判定するアスペクト比判定手段と、変換後のデータ形式の選択および指示を行うデータ変換指示手段と、前記データ変換指示手段の指示内容に基づいて前記データ読み取り手段から読み出された映像を含むストリーム情報に対して元の映像情報の左右や上下に灰色等の枠の縁辺部を挿入してアスペクト比変換を行うデータ作成手段と、前記データ作成手段で作成された表示用の映像データに対して、前記データ変換指示手段の指示内容に基づいて元映像の下端や右端の映像を灰色等の枠の縁辺部の映像に変換することでノイズ等の除去を行うデータ変換手段を備えたことを特徴とする情報変換装置。
【請求項４】
映像を含むストリーム情報のデータ形式を変換する方法であって、映像を含むストリーム情報を読み出す第１のステップと、前記第１のステップで読み出されたデータのアスペクト比を判定する第２のステップと、映像を含むストリーム情報の表示を行う第３のステップと、前記第３のステップで表示可能なアスペクト比（領域サイズ）を判断して前記第１のステップで読み出された映像を含むストリーム情報に対して元の映像情報の左右や上下に灰色等の枠の縁辺部を挿入してアスペクト比変換を行う第４のステップと、前記第４のステップで作成された表示用の映像データに対してノイズ等の除去をおこなう第５のステップを有することを特徴とする情報変換方法。
【請求項５】
前記第５のステップが前記第４のステップで作成されたデータを保存する第６のステップと前記第４のステップにより挿入された縁辺部の映像情報に応じて元映像を置き換えるデータを作成する第７のステップと、第６のステップに保存されている映像データと第７のステップで作成された置換用の映像データを合成する第８のステップとを有することを特徴とする請求項４記載の情報変換方法。
【請求項６】
映像を含むストリーム情報のデータ形式を変換する方法であって、映像を含むストリーム情報を読み出す第１のステップと、前記第１のステップで読み出されたデータのアスペクト比を判定する第２のステップと、変換後のデータ形式の選択および指示を行う第９のステップと、前記第９のステップの指示内容に基づいて前記第１のステップから読み出された映像を含むストリーム情報に対して元の映像情報の左右や上下に灰色等の枠の縁辺部を挿入してアスペクト比変換を行う第１０のステップと、前記第１０のステップで作成された表示用の映像データに対して、前記第９のステップの指示内容に基づいて元映像の下端や右端の映像を灰色等の枠の縁辺部の映像に変換することでノイズ等の除去を行う第１１のステップを備えたことを特徴とする情報変換方法。
【請求項７】
請求項４から請求項６のいずれかに記載の情報変換方法をコンピュータに実行させるための表示制御プログラム。
【発明の詳細な説明】
【技術分野】
【０００１】
本発明はディジタル情報分野における情報変換および情報表示に関するものである。
【背景技術】
【０００２】
近年、ワイドディスプレイ（１６：９）の普及によりワイドサイズのアスペクト比で情報を記録することが多くなってきている。また近年、ディジタル情報の記録において急速に普及しているＤＶＤ（Ｄｉｇｉｔａｌ  Ｖｅｒｓａｔｉｌｅ  Ｄｉｓｋ）等の記録媒体への記録方式にも規格上ワイドサイズでの録画が可能なように策定されている。
【０００３】
しかしながら、表示装置および映像には標準アスペクト比（４：３）のものも存在することから、記録媒体に記録されている映像や放送映像のアスペクト比と表示装置のアスペクト比が異なる場合には表示装置に応じて映像情報を変換する必要がある。このアスペクト比の違いによる映像の変換には通常は、表示装置に合わせて元映像のサイズを補正することで対応しているが、この場合、補正する際に元映像の下端にビデオヘッドの切り替え信号によるノイズが記録されていた場合、表示装置に映像として表示されてしまうことから表示品質・視認性の向上が望まれている。
【０００４】
従来の情報変換装置では、アスペクト比変換処理を行った映像に対して鮮鋭化処理を元映像枠より狭い範囲でのみおこなうことによりオーバーシュートの発生を防止しているものもある。（例えば特許文献１参照）。
【０００５】
以下、図面を用いて、従来の技術を説明する。図６は、従来の情報変換装置の構成図を示すものである。ここでは元映像（１６：９）を標準（４：３）に変換する場合について説明する。図６において、６１は映像を含むストリーム情報を読み出すデータ読み取り手段であり、データ読み取り手段６１で読み出された映像情報について６２のアスペクト比判定手段で元映像のアスペクト比を判断する。そして６３のデータ作成手段により、表示装置のアスペクト比を判断して元映像（６５）を表示装置の表示領域（６６）に表示する為に、左右に灰色等の枠の縁辺部（６７、６８）を付加する。これにより表示領域内に標準アスペクト比の映像が表示される。また、この表示領域より内側の範囲にのみ輪郭強調等による鮮鋭化処理を施すものである。
【特許文献１】特開平３−１５９９９７号公報
【発明の開示】
【発明が解決しようとする課題】
【０００６】
従来のアスペクト比変換では、標準アスペクト比の映像をワイドアスペクト比にする場合には元映像の左右に灰色等の枠の縁辺部を挿入、ワイドアスペクト比の映像を標準アスペクト比にする場合には、元映像の上下に灰色等の枠の縁辺部を挿入することにより変換していたものである。しかしながら先の方法では、元映像の下端や右端にビデオヘッドの切り替わり信号等のノイズ信号が存在する場合に、挿入する灰色等の枠の縁辺部との境界にノイズ映像が含まれてしまう為に表示装置等にノイズ映像が再生されてしまうことになる。
【課題を解決するための手段】
【０００７】
上記課題に鑑み、本発明は映像のアスペクト比を変換する際において左右や上下に挿入する灰色等の枠の縁辺部を、元映像の下端や右端に数ライン重ね合わせることによりノイズ映像が存在する領域を灰色等の枠の縁辺部と同じ映像にすることを最も主要な特徴とする。
【発明の効果】
【０００８】
これにより、アスペクト比を変換して映像の表示を行い、その表示装置のアスペクト比との関係から元映像の左右もしくは上下に灰色等の枠の縁辺部を表示する場合において、元映像の下端もしくは右端にビデオヘッドの切り替え信号等のノイズ映像が存在していても、縁辺部と同じ色の映像情報に変換されて表示されることから、ノイズ映像の再生をなくすことが可能となり、表示映像の品質・視認性の向上が可能となる。
【発明を実施するための最良の形態】
【０００９】
（実施の形態１）
図１は、本発明の実施の形態１における情報変換装置の構成を示すブロック図である。図１において、１１は映像を含むストリーム情報を読み出すデータ読み取り手段、１２は前記データ読み取り手段１１で読み出されたデータのアスペクト比を判定するアスペクト比判定手段、１５は映像を含むストリーム情報の表示を行うデータ表示手段、１３は前記データ表示手段１５で表示可能なアスペクト比（領域サイズ）を判断して前記データ読み取り手段１１で読み出された映像を含むストリーム情報に対して元の映像情報の左右や上下に灰色等の枠の縁辺部を挿入してアスペクト比変換を行うデータ作成手段、１４は前記データ作成手段１３で作成された表示用の映像データに対して元映像の下端や右端の映像を灰色等の枠の縁辺部の映像に変換してノイズ等の除去を行うデータ変換手段である。
【００１０】
図２および図３は実施の形態１における情報変換手段の動作を説明するものである。上記のように構成された実施の形態１の情報変換装置および情報変換方法の動作について図１、図２および図３を参照しつつ説明する。
【００１１】
まずは図１および図２を用いて元映像のワイドアスペクト比の映像を標準アスペクト比の表示装置で再生する場合について説明する。１１のデータ読み取り手段では、１５のデータ表示手段で再生する為の映像情報を含むストリーム情報を読み取りことになる。ここで１１のデータ読み取り手段により読み出された映像情報の領域は図２の２２の元映像で示されたワイドアスペクトの領域であり、１５のデータ表示手段で表示可能な領域は２１の表示領域で示された標準アスペクトの領域となっている。１３のデータ作成手段ではアスペクト比が異なる為に、表示装置の表示領域２１の中心に元映像２２を表示するために、灰色等の枠の縁辺部を元映像の上２３と下２４に挿入することにより表示装置のアスペクト比に応じた映像情報とする。しかしながらこのままでは、元映像の下端（２５のノイズ）にビデオヘッドの切り替え信号等のノイズ情報が存在していた場合には、元映像２２と縁辺部２の２４との境界付近に位置することになり、表示領域の中に含まれてしまう為に再生時に表示されてしまうことになる為に、１４のデータ変換手段により２５のノイズの領域を、２４の縁辺部２の領域の情報と同じ灰色等の枠の情報に変更する。
【００１２】
次に図１および図３を用いて元映像の標準アスペクト比の映像をワイドアスペクト比の表示装置で再生する場合について説明する。１１のデータ読み取り手段では、１５のデータ表示手段で再生する為の映像情報を含むストリーム情報を読み取りことになる。ここで１１のデータ読み取り手段により読み出された映像情報の領域は図３の３２の元映像で示された標準アスペクトの領域であり、１５のデータ表示手段で表示可能な領域は３１の表示領域で示されたワイドアスペクトの領域となっている。１３のデータ作成手段ではアスペクト比が異なる為に、表示装置の表示領域３１の中心に元映像３２を表示するために、灰色等の枠の縁辺部を元映像の左３３と右３４に挿入することにより表示装置のアスペクト比に応じた映像情報とする。しかしながらこのままでは、元映像の右端（３５のノイズ）にビデオヘッドの切り替え信号等のノイズ情報が存在していた場合には、元映像３２と縁辺部２の３４との境界付近に位置することになり、表示領域の中に含まれてしまう為に再生時に表示されてしまうことになる為に、１４のデータ変換手段により３５のノイズの領域を、３４の縁辺部２の領域の情報と同じ灰色等の枠の情報に変更する。
【００１３】
さらに、１４のデータ変換手段の動作について図４を用いてより詳しく説明する。図４において４１のデータ保存手段は１３のデータ作成手段で作成されたアスペクト比変更後の映像データを一時保存する為の記憶領域であり、４２の置換データ作成手段では灰色等の枠で作成された縁辺部と同じ映像情報を図２の２５や図３の３５のノイズ領域と同じサイズで作成する。そして、４３のデータ合成手段により図２の２５や図３の３５のノイズ領域に対して、４２の置換データ作成手段で作成した縁辺部と同じ映像情報を上書きすることによりノイズ領域を除去する。
【００１４】
ここで、ノイズ領域サイズは２５のノイズの場合には元映像の縦サイズの数％、３５のノイズの場合には元映像の横サイズの数％として予め決定されるものであり、縁辺部の灰色等の映像情報とは表示装置によって予め設定されているものである。
【００１５】
上記のように、アスペクト比を変換した場合には元映像の下端や右端の映像データをアスペクト比変換用に挿入した縁辺部の映像情報に置き換えることから、映像の下端や右端にビデオヘッドの切り替わり信号等のノイズ情報が存在していた場合においても表示装置に再生されないことになる為に、表示時の映像品質および視認性の向上が可能となる。
【００１６】
（実施の形態２）
図５は、本発明の実施の形態２における情報変換装置の構成を示すブロック図である。図５において、１１は映像を含むストリーム情報を読み出すデータ読み取り手段、１２は前記データ読み取り手段１１で読み出されたデータのアスペクト比を判定するアスペクト比判定手段、５１は変換後のデータ形式の選択および指示を行うデータ変換指示手段、１３は前記データ変換指示手段５１の指示内容に基づいて前記データ読み取り手段１１から読み出された映像を含むストリーム情報に対して元の映像情報の左右や上下に灰色等の枠の縁辺部を挿入してアスペクト比変換を行うデータ作成手段、５２は前記データ作成手段１３で作成された表示用の映像データに対して、前記データ変換指示手段５１の指示内容に基づいて元映像の下端や右端の映像を灰色等の枠の縁辺部の映像に変換することでノイズ等の除去を行うデータ変換手段である。
【００１７】
上記のように構成された実施の形態２の情報変換装置および情報変換方法の動作について図５を参照しつつ説明する。１１のデータ読み取り手段では、映像情報を含むストリーム情報を読み取りことになる。ここで１１のデータ読み取り手段により読み出された映像情報の領域は５３の元映像で示された標準アスペクトの領域である。そして５１のデータ変換指示手段により変換後のアスペクト比や映像や音声フォーマット等のデータ形式が指示されることになる。この場合において映像情報のアスペクト比が５１で指示されたアスペクト比と異なる場合については、実施例１と同様の動作となるために説明を省略する。
【００１８】
５１のデータ変換指示手段によりアスペクト比は元の映像と同じであり映像や音声のフォーマット形式の変更を指示された場合について説明を続ける。先の場合には、元映像５３に対して下端にノイズ情報５４、右端にノイズ情報５５が存在する可能性がある為に、フォーマット形式を変更する際に１１のデータ読み取り手段で読み出された映像データのフォーマットを変更する前に元映像の下端および右端の数ラインの映像情報を、アスペクト比を変更する際に使用する灰色等の縁辺部と同じ映像情報に置き換えた後に映像データのフォーマット変換を行うものである。
【００１９】
上記のように、映像情報のフォーマット変換を行う場合には例えアスペクト比が同じであっても元映像に含まれるビデオヘッドの切り替え信号等のノイズ情報が除去されることになることから、変換後の映像情報は表示装置に依存することなくノイズ情報が除去された映像品質のよい状態で再生可能となる。なお本実施の形態で示した方法は、コンピュータプログラムによって実現されてもよく、これをＣＤ−ＲＯＭやＤＶＤ等の記録媒体に記録して実施することも可能である。
【産業上の利用可能性】
【００２０】
本発明による情報変換方法は、データ変換手段をもうけることによりアスペクト比変換時のみならず、元映像に対してノイズ情報が含まれる可能性のある領域を変更することから、データのフォーマット形式変換等に映像品質の向上が必要な用途にも適用可能である。
【図面の簡単な説明】
【００２１】
【図１】本発明の実施の形態１における情報変換装置の構成を示すブロック図
【図２】ワイドアスペクト比映像を標準アスペクト比の表示装置に表示した場合の説明図
【図３】標準アスペクト比の映像をワイドアスペクト比の表示装置に表示した場合の説明図
【図４】データ変換手段の構成を示すブロック図
【図５】本発明の実施の形態２における情報変換装置の構成を示すブロック図
【図６】従来の情報変換装置の構成を示すブロック図
【符号の説明】
【００２２】
１１    データ読み取り手段
１２    アスペクト比判定手段
１３    データ作成手段
１４    データ変換手段
１５    データ表示手段
【図１】
2006080591.tif 000003
【図２】
2006080591.tif 000004
【図３】
2006080591.tif 000005
【図４】
2006080591.tif 000006
【図５】
2006080591.tif 000007
【図６】
2006080591.tif 000008